(57)【要約】【課題】簡易な構成でありながら捕集物の除去を容易に行うことができるウォールフロー型の多孔質セラミックフィルタを提供する。【解決手段】多孔質セラミックフィルタ１の構成を、多孔質セラミックスの隔壁１５で囲まれたセル１１の複数を有し、セルのそれぞれが軸方向Ｚの両端部のうちの一方である第一端部Ｅ１で開口し、他方の端部である第二端部Ｅ２で閉鎖されることにより、第一端部から流入し隔壁を通過する流体から捕集対象物を捕集するウォールフロー型のフィルタ基体１０と、第二端部でセルを開閉可能に閉鎖する閉鎖体２１とを具備する構成とする。閉鎖体は、セルの軸方向に直交する方向にスライドすることにより、第一セルの第二端部を開閉する。【選択図】図１
2017176908.tif 000002
【特許請求の範囲】
【請求項１】
多孔質セラミックスの隔壁で囲まれたセルの複数を有し、該セルのそれぞれが軸方向の両端部のうちの一方である第一端部で開口し、他方の端部である第二端部で閉鎖されることにより、前記第一端部から流入し前記隔壁を通過する流体から捕集対象物を捕集するウォールフロー型のフィルタ基体と、
前記第二端部で前記セルを開閉可能に閉鎖する閉鎖体と
を具備することを特徴とする多孔質セラミックフィルタ。
【請求項２】
前記閉鎖体は、前記軸方向に直交する方向にスライドすることにより、前記セルの前記第二端部を開閉する
ことを特徴とする請求項１に記載の多孔質セラミックフィルタ。
【請求項３】
前記閉鎖体は、前記軸方向に直交する方向に、回転しつつスライドすることにより、前記セルの前記第二端部を開閉する
ことを特徴とする請求項２に記載の多孔質セラミックフィルタ。
【請求項４】
前記閉鎖体は、前記フィルタ基体に対して前記軸方向に離隔接近することにより、前記セルの前記第二端部を開閉する
ことを特徴とする請求項１に記載の多孔質セラミックフィルタ。
【請求項５】
前記フィルタ基体は、多孔質セラミックスの隔壁で囲まれて前記セルと同一の軸方向に延び、前記第一端部が封止部で封止されていると共に前記第二端部で開口している第二セルと、前記セルとが、前記隔壁を介して交互に列設されているハニカム構造を有している
ことを特徴とする請求項１乃至請求項４の何れか一つに記載の多孔質セラミックフィルタ。
【請求項６】
前記セルは、チューブ状の前記隔壁で囲まれており、
前記フィルタ基体は、前記セルの外部に出口開口を具備する
ことを特徴とする請求項１乃至請求項４の何れか一つに記載の多孔質セラミックフィルタ。
【請求項７】
請求項１乃至請求項６の何れか一つに記載の多孔質セラミックフィルタを使用し
前記閉鎖体で前記セルの前記第二端部を閉鎖している状態で、前記セルの前記第一端部から前記流体を流入させ、前記隔壁を通過させることにより、前記流体に含まれる前記捕集対象物を前記セル内に捕集した後、
前記閉鎖体に前記セルの前記第二端部を開放させ、
前記セルに、前記第二端部または第一端部から洗浄用の流体を送り込むことにより、前記捕集対象物を前記フィルタ基体の外部に排出する
ことを特徴とする多孔質セラミックフィルタの再生方法。
【発明の詳細な説明】
【技術分野】
【０００１】
本発明は、ウォールフロー型の多孔質セラミックフィルタ、及び、該多孔質セラミックフィルタから捕集物を除去する多孔質セラミックフィルタの再生方法に関するものである。
【背景技術】
【０００２】
多孔質セラミックスで形成されたハニカム構造体は、単一の軸方向に列設された複数のセルにおいて、軸方向の両端部のうち一方の端部で開口しているセルと他方の端部で開口しているセルが交互となるように一端のみを目封止することにより、ウォールフロー型のフィルタ基体として使用されている。
【０００３】
例えば、上記のように目封止されたハニカム構造体は、ディーゼルエンジンの排ガスからパティキュレート・マター（ＰＭ）を捕集するディーゼルパティキュレートフィルタ（ＤＰＦ）の基体として使用されている。一方の端部で開口しているセルから流入した排ガスは、セルを区画している多孔質の隔壁を通過して隣接したセルに流入し、そのセルが開口している他方の端部から排出される。その過程で、排ガスに含まれるＰＭは、多孔質の隔壁において気孔内に捕集される。ＰＭの捕集に伴い気孔が塞がれてフィルタリング作用が低下するため、ＤＰＦには、捕集されたＰＭがある程度堆積した段階でＰＭを燃焼させるものがある（例えば、特許文献１参照）。燃焼によりＰＭが除去されることによって、気孔におけるフィルタリング作用は回復し、ＤＰＦが再生される。
【０００４】
このように、燃焼によって捕集物を除去できるのは、捕集物であるＰＭが炭素分（スス）を主成分とする可燃物であるためである。ところが、多孔質セラミックスのフィルタ基体としての用途を拡大しようと意図した場合、捕集の対象物には金属粉など燃焼させにくい物も含まれる。また、捕集の対象物に有用物が含まれていることもあり、捕集物を回収したい場合がある。
【０００５】
捕集物を回収可能にフィルタから除去する方法として、一般的なフィルタでは「逆洗」が多用されている。「逆洗」処理では、濾過処理の際とは逆方向に圧縮された流体を送ることにより、捕集物はフィルタから離脱し、濾過処理における流入側の端部から排出される。しかしながら、ウォールフロー型のフィルタ基体では、このような逆洗は適していない。ウォールフロー型のフィルタ基体では、捕集物を離脱させるためには、洗浄用の流体を、隔壁を通過する方向に進行させなければならないところ、洗浄用の流体を送り込む方向はセルの軸方向であり、方向が異なる。そのため、隔壁を通過する流体の圧力が低下し、捕集物を十分に離脱させることができないという問題がある。そして、隔壁を通過する流体の圧力を大きくしようとすれば、通常の濾過処理の際に比べて、かなり大きな圧力をかけなければならず、隔壁に亀裂や割れが生じるおそれがある。加えて、目封止されているセルの閉端近傍に捕集物が特に溜まりやすいところ、洗浄用の流体は、送り込まれる端部から離れた位置で隣接するセルに流入することになるため、セルの閉端近傍で溜まっている捕集物の除去は困難である。
【０００６】
一方、ハニカム構造のセラミックフィルタを再生するために、単なる逆洗ではない洗浄の方法も提案されている（特許文献２参照）。これは、先ずクリーン側（濾過処理の際の排出側）の個々のセル内にノズルで高圧流体（高圧空気または加圧水）を送り込んで捕集物を浮き上がらせておき、その後にダーティ側（濾過処理の際の流入側）の個々のセル内にノズルで高圧空気を吹き込むことにより、浮き上がっていた捕集物を吹き出させるものである。しかしながら、特許文献２の技術では、セルの軸方向の両端部それぞれからノズルで高圧流体を吹き込む必要があるため、フィルタの構成が複雑となるという問題があった。また、ダーティ側のセルにおいて浮き上がらせた捕集物を排出させるための高圧空気は、捕集物を排出させる開口から送り込まれるため、逆に捕集物がセルの閉端に向かって押し込まれてしまい、効率よく排出させることができないという問題があった。
【先行技術文献】
【特許文献】
【０００７】
【特許文献１】特許第５２０８９００号公報
【特許文献２】特許第３４８３８１９号公報
【発明の概要】
【発明が解決しようとする課題】
【０００８】
そこで、本発明は、上記の実情に鑑み、簡易な構成でありながら捕集物の除去を容易に行うことができるウォールフロー型の多孔質セラミックフィルタ、及び、該多孔質セラミックフィルタから捕集物を除去する多孔質セラミックフィルタの再生方法の提供を、課題とするものである。
【課題を解決するための手段】
【０００９】
上記の課題を解決するため、本発明にかかる多孔質セラミックフィルタは、
「多孔質セラミックスの隔壁で囲まれたセルの複数を有し、該セルのそれぞれが軸方向の両端部のうちの一方である第一端部で開口し、他方の端部である第二端部で閉鎖されることにより、前記第一端部から流入し前記隔壁を通過する流体から捕集対象物を捕集するウォールフロー型のフィルタ基体と、
前記第二端部で前記セルを開閉可能に閉鎖する閉鎖体と
を具備する」ものである。
【００１０】
本発明にかかる多孔質セラミックフィルタは、上記構成において、
「前記閉鎖体は、前記軸方向に直交する方向にスライドすることにより、前記セルの前記第二端部を開閉する」ものとすることができる。或いは、
「前記閉鎖体は、前記フィルタ基体に対して前記軸方向に離隔接近することにより、前記セルの前記第二端部を開閉する」ものとすることができる。
【００１１】
これら二つの構成は、閉鎖体が、セルの第二端部を開閉可能に閉鎖する点で共通している。なお、軸方向に直交する方向にスライドする閉鎖体は、軸方向に直交する「一方向」にスライドする構成の他、軸方向に直交する方向に「回転しつつ」スライドする構成とすることができる。
【００１２】
このような構成により、次のような多孔質セラミックフィルタの再生方法が可能となる。すなわち、
「上記に記載の多孔質セラミックフィルタを使用し
前記閉鎖体で前記セルの前記第二端部を閉鎖している状態で、前記セルの前記第一端部から前記流体を流入させ、前記隔壁を通過させることにより、前記流体に含まれる前記捕集対象物を前記セル内に捕集した後、
前記閉鎖体に前記セルの前記第二端部を開放させ、
前記セルに、前記第二端部または第一端部から洗浄用の流体を送り込むことにより、前記捕集対象物を前記フィルタ基体の外部に排出する」ものである。
【００１３】
本発明の多孔質セラミックフィルタは、濾過処理の際に処理対象の流体を流入させるセルの第二端部を閉鎖体で封止しておき、セル内に捕集対象物がある程度捕集された段階で、閉鎖体によるセルの閉鎖を解除して、セルの両端が開口している状態とすることができる。これにより、洗浄のために送り込む流体は、隔壁を通過させる必要がなく、両端が開口している状態のセルに、洗浄用の液体をストレートに通すことができる。
【００１４】
従って、洗浄用の液体の圧力がさほど高くなくても、セル内に捕集された捕集対象物を、効率よくフィルタ基体から外部に排出することができる。また、セルの全長に亘り、ストレートに洗浄用の液体を通すため、隔壁を介した逆洗では除去することが困難であった、閉端近傍（第二端部近傍）に溜まっていた捕集対象物も、問題なく排出することができる。
【００１５】
そして、一般的な逆洗と同様に、洗浄用の流体を一方向から送るのみで、捕集対象物を十分に排出することができる。すなわち、セルの一端（第二端部）を開閉可能な閉鎖体を設けるのみの簡易な構成でありながら、捕集対象物の除去を容易に行うことができる。
【００１６】
ここで、本発明の特徴的な閉鎖体を適用するに当たり、
「前記フィルタ基体は、多孔質セラミックスの隔壁で囲まれて前記セルと同一の軸方向に延び、前記第一端部が封止部で封止されていると共に前記第二端部で開口している第二セルと、前記セルとが、前記隔壁を介して交互に列設されているハニカム構造を有している」ものとすることができる。この場合、セルの第一端部から流入し隔壁を通過した流体は、第二セルの第二端部からフィルタ基体の外部に排出される。
【００１７】
或いは、本発明の特徴的な閉鎖体の適用に当たり、
「前記セルは、チューブ状の前記隔壁で囲まれており、
前記フィルタ基体は、前記セルの外部に出口開口を具備する」ものとすることができる。この場合、セルの第一端部から流入し隔壁を通過した流体は、出口開口からフィルタ基体の外部に排出される。ハニカム構造体でなくても、本構成のウォールフロー型のフィルタ基体であれば、本発明の閉鎖体を適用することができる。
【発明の効果】
【００１８】
以上のように、本発明の効果として、簡易な構成でありながら捕集物の除去を容易に行うことができるウォールフロー型の多孔質セラミックフィルタ、及び、該多孔質セラミックフィルタから捕集物を除去する多孔質セラミックフィルタの再生方法を、提供することができる。
【図面の簡単な説明】
【００１９】
【図１】本発明の第一実施形態である多孔質セラミックフィルタについて、（ａ）閉鎖体でセルの第二端部を閉鎖している状態、及び、（ｂ）閉鎖体がセルの第二端部を開放している状態、を示す断面図である。
【図２】図１における（ａ）Ａ−Ａ線切断部端面図、（ｂ）Ｂ−Ｂ線切断部端面図、（ｃ）Ｃ−Ｃ線断面図、（ｄ）Ｂ−Ｂ線断面図、及び、（ｅ）Ｄ−Ｄ線断面図である。
【図３】図１の多孔質セラミックフィルタを使用して、（ａ）濾過処理を行っている状態、（ｂ）捕集対象物が捕集された状態、及び、（ｃ）再生処理を行っている状態、を示す断面図である。
【図４】本発明の第二実施形態である多孔質セラミックフィルタの（ａ）分解斜視図、及び、（ｂ）ケーシングを破線で表示した分解斜視図である。
【図５】図４の多孔質セラミックフィルタが（ａ）「セルの閉状態」にあるときの一部切欠き斜視図、及び、（ａ）「セルの開状態」にあるときの一部切欠き斜視図である。
【図６】図４の多孔質セラミックフィルタの（ａ）軸方向に切断した断面図、（ｅ）Ｅ−Ｅ線断面図、（ｆ−１）Ｆ１−Ｆ１線断面図、（ｆ−２）Ｆ２−Ｆ２線断面図、（ｇ）Ｇ−Ｇ線断面図、（ｈ−１）「セルの閉状態」におけるＨ−Ｈ線断面図、及び、（ｈ−２）「セルの開状態」におけるＨ−Ｈ線断面図である。
【図７】本発明の第三実施形態である多孔質セラミックフィルタについて、（ａ）閉鎖体でセルの第二端部を閉鎖している状態、及び、（ｂ）閉鎖体がセルの第二端部を開放している状態、を示す断面図である。
【発明を実施するための形態】
【００２０】
以下、本発明の第一実施形〜第三実施形態の多孔質セラミックフィルタ１〜３、及び、これらの多孔質セラミックフィルタ１〜３の再生方法について、図１乃至図７を用いて説明する。
【００２１】
まず、第一実施形態の多孔質セラミックフィルタ１の構成について、図１〜図３を用いて説明する。多孔質セラミックフィルタ１は、多孔質セラミックスの隔壁１５で囲まれたセル１１の複数を有し、セル１１のそれぞれが軸方向Ｚの両端部のうちの一方である第一端部Ｅ１で開口し、他方の端部である第二端部Ｅ２で閉鎖されることにより、第一端部Ｅ１から流入し隔壁１５を通過する流体から捕集対象物Ｓを捕集するウォールフロー型のフィルタ基体１０と、第二端部Ｅ２でセル１１を開閉可能に閉鎖する閉鎖体２１とを具備するものである。また、閉鎖体２１は、軸方向Ｚに直交する一方向にスライドすることにより、セル１１の第二端部Ｅ２を開閉する構成である。
【００２２】
より詳細には、フィルタ基体１０は、多孔質セラミックスの隔壁１５で囲まれてセル１１と同一の軸方向Ｚに延び、第一端部Ｅ１が封止部２２で封止されていると共に第二端部Ｅ２で開口している第二セル１２と、セル１１とが、隔壁１５を介して交互に列設されているハニカム構造を有している。多孔質セラミックフィルタ１では、セル１１及び第二セル１２それぞれの開口は輪郭の形状及びサイズが同一であり、セル１１及び第二セル１２が隔壁１５を介して等間隔で交互に並んでいる。そして、多孔質セラミックフィルタ１の閉鎖体２１は、セルの軸方向Ｚに直交する一方向にスライドするスライド部材３０の構成である。スライド部材３０は平板状であり、セル１１及び第二セル１２の開口を閉鎖する形状及びサイズである閉鎖体２１と、セル１１及び第二セル１２の開口を開放する形状及びサイズである孔部３５とが、交互に並んでいる（図２（ｃ）参照）。
【００２３】
このような構成の多孔質セラミックフィルタ１で濾過処理をする際は、図１（ａ）及び図３（ａ）に示すように、閉鎖体２１がセル１１の第二端部Ｅ２を閉鎖していると共に、孔部３５を介して第二セル１２の第二端部Ｅ２が開口している状態で、開口している第一端部Ｅ１から処理対象の流体をセル１１に流入させる。セル１１の第二端部Ｅ２は閉鎖されているため、ストレートに通過できない流体は多孔質の隔壁１５を通過して、隣接する第二セル１２に流入する。第二セル１２は、第一端部Ｅ１側が封止部２２で封止されているため、第二セル１２に流入した流体は、開口している第二端部Ｅ２から外部に流出する。
【００２４】
このように、処理対象の流体が流れる過程で、流体に含まれている固体である捕集対象物Ｓは、隔壁１５を通過することができないため、図３（ｂ）に示すように、セル１１内に捕集される。
【００２５】
セル１１内にある程度の量の捕集対象物Ｓが捕集されたら、次のように再生処理を行う。まず、図１（ｂ）に示すように、スライド部材３０をセルの軸方向Ｚに直交する一方向に、セル一つ分だけスライドさせる。これにより、それまでセル１１の第二端部Ｅ２を閉鎖していた閉鎖体２１は、隣接する第二セル１２の第二端部Ｅ２を閉鎖し、セル１１の第二端部Ｅ２はスライド部材３０の孔部３５を介して開口する。これにより、第二セル１２は第一端部Ｅ１及び第二端部Ｅ２の双方で閉端される一方で、セル１１は第一端部Ｅ１及び第二端部Ｅ２の双方で開口する。従って、図３（ｃ）に示すように、洗浄用の流体をセル１１に一端から送り込むことにより、洗浄用の流体はセル１１の全長に亘りストレートに流通し、セル１１内に捕集されていた捕集対象物Ｓを押し出して、フィルタ基体１０の外部に排出する。
【００２６】
なお、図３（ｃ）では、洗浄用の流体を第二端部Ｅ２からセル１１に送り込む場合を例示しているが、セル１１は両端部で開口している状態であるため、第一端部Ｅ１及び第二端部Ｅ２の何れから洗浄用の流体を送り込んでも、捕集対象物Ｓをフィルタ基体１０の外部に排出することができる。
【００２７】
次に、第二実施形態の多孔質セラミックフィルタ２の構成について、図４〜図６を用いて説明する。多孔質セラミックフィルタ２は、閉鎖体２１ｂがセル１１ｂの軸方向Ｚに直交する方向にスライドすることによりセル１１ｂの第二端部Ｅ２を開閉する点で、第一実施形態の多孔質セラミックフィルタ１と共通しているが、閉鎖体２１ｂが軸方向Ｚに直交する方向に「回転しつつ」スライドする点で、多孔質セラミックフィルタ１と相違している。
【００２８】
また、多孔質セラミックフィルタ１のフィルタ基体１０がハニカム構造であったのに対し、多孔質セラミックフィルタ２のセル１１ｂは、チューブ状の隔壁で囲まれた形状であり、フィルタ基体１０ｂは、セル１１ｂを支持するケーシング１９、及びケーシングに嵌め込まれる封止部材２３，２４を備えている。
【００２９】
より詳細には、セル１１ｂは円筒状であり、同じく円筒状のケーシング１９に軸方向Ｚを一致させて、複数本が収容されている。ケーシング１９の両端には、それぞれ円盤状の封止部材２３，２４が嵌め込まれており、封止部材２３，２４のそれぞれには、セル１１ｂの端部を嵌入するために、セル１１ｂの外径とほぼ等しい径の円形の貫通孔２５，２６ａが、セル１１ｂと同じ数だけ穿設されている。複数の貫通孔２５，２６ａは、それぞれ封止部材２３，２４において、円筒状のケーシング１９の中心軸Ｐ周りに等角度間隔で配置されている。そして、セルの両端である第一端部Ｅ１及び第二端部Ｅ２のうち、第一端部Ｅ１が貫通孔２５に嵌入された上で封止部材２３に固定されていると共に、第二端部Ｅ２が貫通孔２６ａに嵌入された上で封止部材２４に固定されている。加えて封止部材２４には、隣接する貫通孔２６ａの中間に、貫通孔２６ａと略同径で同数の貫通孔２６ｂが等角度間隔で配置されている。
【００３０】
そして、封止部材２４の外側には、円盤状のスライド部材４０が重畳するようにケーシング１９に支持されている。スライド部材４０には、貫通孔２６ａ，２６ｂそれぞれと略同径の円形の孔部４５が、貫通孔２６ａと同じ数だけ（当然に、貫通孔２６ｂと同じ数だけ）、貫通して穿設されている。これらの孔部４５はスライド部材４０において、中心軸Ｐ周りに等角度間隔で配置されている。すなわち、複数の孔部４５の角度間隔は、封止部材２３における貫通孔２５の角度間隔、封止部材２４における貫通孔２６ａの角度間隔、封止部材２４における貫通孔２６ｂの角度間隔と同一である。
【００３１】
スライド部材４０は、中心軸Ｐ周りに回転しつつ、封止部材２４に対してスライドする。この回転によりスライド部材４０は、孔部４５を貫通孔２６ａと連通させて、セル１１ｂの第二端部Ｅ２を開口させる状態（セル１１ｂの開状態）と、孔部４５と孔部４５との間の部分で貫通孔２６ａを被覆して、セル１１ｂの第二端部Ｅ２を閉鎖すると共に、孔部４５と貫通孔２６ｂとを連通させる状態（セル１１ｂの閉状態）とに変位する。従って、スライド部材４０において孔部４５と孔部４５との間の部分が、セル１１ｂの第二端部Ｅ２を開閉可能に閉鎖する「閉鎖体２１ｂ」であり、スライド部材４０が「セル１１ｂの閉状態」にあるときに、孔部４５と貫通孔２６ｂとが連通して形成される開口が、本発明の「出口開口」に相当する。
【００３２】
このような構成の多孔質セラミックフィルタ２で濾過処理をする際は、図５（ａ）に示すように、閉鎖体２１ｂがセル１１ｂの第二端部Ｅ２を閉鎖している状態（セル１１ｂの閉状態）で、第一端部Ｅ１で開口している封止部材２３の貫通孔２５から処理対象の流体をセル１１ｂに流入させる。セル１１ｂの第二端部Ｅ２は閉鎖されているため、ストレートに通過できない流体は、多孔質の隔壁１５を通過して、ケーシング１９内におけるセル１１ｂとセル１１ｂとの間の空間に流入し、連通している貫通孔２６ｂ及び孔部４５を介してフィルタ基体１ｂの外部へ排出される。流体が隔壁１５を通過する過程で、第一実施形態と同様に、流体に含まれている捕集対象物Ｓは、隔壁１５を通過することなくセル１１ｂ内に捕集される。
【００３３】
セル１１ｂ内にある程度の量の捕集対象物Ｓが捕集されたら、次のように再生処理を行う。まず、図５（ｂ）に示すように、スライド部材４０を中心軸Ｐ周りに回転させることにより、孔部４５を封止部材２４の貫通孔２６ａと連通させる。これにより、図６（ｈ−２）に示すように、セル１１ｂの第二端部Ｅ２はスライド部材４０の孔部４５を介して開口し、セル１１ｂは第一端部Ｅ１及び第二端部Ｅ２の双方で開口した状態となる。従って、洗浄用の流体をセル１１ｂに一端から送り込むことにより、洗浄用の流体はセル１１ｂの全長に亘りストレートに流通し、セル１１ｂ内に捕集されていた捕集対象物Ｓを押し出して、フィルタ基体１０ｂの外部に排出する。
【００３４】
次に、第三実施形態の多孔質セラミックフィルタ３の構成について、図７を用いて説明する。多孔質セラミックフィルタ３が第一実施形態の多孔質セラミックフィルタ１と相違する点は、閉鎖体２１ｃがフィルタ基体１０に対して軸方向Ｚに離隔接近することにより、セル１１の第二端部Ｅ２を開閉する点である。
【００３５】
より詳細には、閉鎖体２１ｃは蓋部材５０の構成である。蓋部材５０は、フィルタ基体１０のセル１１の開口に対応する位置に、この開口を閉鎖できる輪郭形状及びサイズである閉鎖体２１ｃを備えていると共に、フィルタ基体１０の第二セル１２の開口に対応する位置に、第二セル１２の開口を開放できる輪郭形状及びサイズである孔部５５を備えている。
【００３６】
つまり、第一実施形態の多孔質セラミックフィルタ１では、セル１１と第二セル１２の形状及び大きさが同一で等間隔に並んでいる必要があったところ、第二実施形態の多孔質セラミックフィルタ３では、必ずしもセル１１と第二セル１２の形状及び大きさが同一で等間隔に並んでいる必要はなく、蓋部材５０においてセル１１の開口と対応する位置に、セル１１の開口を閉鎖できる形状及びサイズの閉鎖体２１を備えており、第二セル１２の開口と対応する位置に、第二セル１２の開口を開放できる形状及びサイズの孔部５５を備えていれば良い。
【００３７】
このような構成の多孔質セラミックフィルタ３を使用した濾過処理は、第一実施形態の多孔質セラミックフィルタ１を使用した濾過処理と同様であり、図７（ａ）に示すように、閉鎖体２１ｃがセル１１の第二端部Ｅ２を閉鎖していると共に、孔部５５を介して第二セル１２の第二端部Ｅ２が開口している状態で、開口している第一端部Ｅ１からセル１１に処理対象の流体を流入させる。流体は、多孔質の隔壁１５を通過して隣接する第二セル１２に流入し、第二セル１２の第二端部Ｅ２からフィルタ基体１０の外部に流出する。そして、流体が隔壁１５を通過する過程で、第一実施形態と同様に、流体に含まれている固体である捕集対象物Ｓは、隔壁１５を通過することなくセル１１内に捕集される。
【００３８】
セル１１内にある程度の量の捕集対象物Ｓが捕集されたら、次のように再生処理を行う。まず、図７（ｂ）に示すように、蓋部材５０をフィルタ基体１０から離脱させ、蓋部材５０における閉鎖体２１ｃを、少なくともセルの軸方向Ｚにフィルタ基体１０から離隔させる。
【００３９】
これにより、セル１１の第二端部Ｅ２を閉鎖している部材はなくなり、セル１１は第一端部Ｅ１及び第二端部Ｅ２の双方で開口する。従って、洗浄用の流体をセル１１に一端から送り込むことにより、洗浄用の流体はセル１１の全長に亘りストレートに流通し、セル１１内に捕集されていた捕集対象物Ｓを押し出し、セル１１の外部に排出する。
【００４０】
なお、図７（ｂ）では、洗浄用の流体を第二端部Ｅ２からセル１１に送り込む場合を例示しているが、セル１１は両端部で開口している状態であるため、第一端部Ｅ１及び第二端部Ｅ２の何れから洗浄用の流体を送り込んでも、捕集対象物Ｓをフィルタ基体１０から外部に排出することができる。
【００４１】
以上のように、第一実施形態〜第三実施形態の多孔質セラミックフィルタ１〜３によれば、閉鎖体２１，２１ｂ，２１ｃがセル１１の第二端部Ｅ２を開閉可能に閉鎖しているため、セル１１内にある程度の捕集対象物Ｓが捕集された段階で、セル１１の第二端部Ｅ２を開口させることよりセル１１の両端が開口している状態とすることができる。これにより、セル１１内に一端から洗浄用の流体を送り込むことにより、その流体の直線的な流れによって、セル１１内に捕集されていた捕集対象物Ｓを、効率よくセル１１の外部に排出することができる。
【００４２】
そして、洗浄用の流体は、セル１１の全長に亘り、直線的に送り込むことができるため、隔壁１５を介してセル１１に洗浄用の流体を流入させる場合に比べて、洗浄用の流体の圧力が小さくても捕集対象物Ｓを効率的にセル１１の外部に排出することができる。これにより、洗浄用の流体の圧力を高めることに起因して隔壁１５が損傷を受ける恐れを、低減することができる。
【００４３】
加えて、洗浄用の流体は、セル１１の全長に亘り直線的に送り込むことができるため、隔壁１５を介した逆洗では除去することが困難であったセル１１の閉端（第二端部Ｅ２）近傍に捕集されていた捕集対象物Ｓを、容易にセル１１の外部に排出することができる。
【００４４】
従って、例えば、切削加工において循環して使用されるクーラントを処理対象の流体とし、クーラントに含まれる切粉を捕集対象物Ｓとしてセル１１内に捕集した後、捕集対象物Ｓをフィルタ基体１０，１０ｂの外部に排出することができる。これにより、フィルタ基体１０，１０ｂのフィルタリング作用を回復させて多孔質セラミックフィルタを再生することができると共に、切粉に含まれるレアメタル等の有用物を、回収することが可能となる。
【００４５】
以上、本発明について好適な実施形態を挙げて説明したが、本発明は上記の実施形態に限定されるものではなく、以下に示すように、本発明の要旨を逸脱しない範囲において、種々の改良及び設計の変更が可能である。
【００４６】
例えば、上記では、閉鎖体がセルの軸方向に直交する一方向にスライドする実施形態、及び、閉鎖体がセルの軸方向にフィルタ基体に対して離隔接近する実施形態について、フィルタ基体がハニカム構造である場合を例示し、閉鎖体がセルの軸方向に直交する方向に回転しつつスライドする実施形態について、フィルタ基体がチューブ状の隔壁で囲まれたセルを有する構造である場合を例示した。これに限定されず、チューブ状の隔壁で囲まれたセルを有するフィルタ基体に対して、閉鎖体がセルの軸方向に離隔接近する構成とすることができる。或いは、チューブ状の隔壁で囲まれたセルを角筒状とし、閉鎖体がセルの軸方向に直交する一方向にスライドする構成とすることができる。
【符号の説明】
【００４７】
１，２，３  多孔質セラミックフィルタ
１０，１０ｂ  フィルタ基体
１１  セル
１２  第二セル
１５  隔壁
２１，２１ｂ，２１ｃ  閉鎖体
２２  封止部
Ｅ１  第一端部
Ｅ２  第二端部
Ｓ  捕集対象物
【図１】
2017176908.tif 000003
【図２】
2017176908.tif 000004
【図３】
2017176908.tif 000005
【図４】
2017176908.tif 000006
【図５】
2017176908.tif 000007
【図６】
2017176908.tif 000008
【図７】
2017176908.tif 000009